(57)【要約】【課題】作製が容易なネクタイ留め具を提供する。【解決手段】ネクタイ留め具１は、弾性を有する金属材料で形成された金属線により、直線部１１，１３，１５，１７と、湾曲部１２，１４，１６とを備えるように形成される。長手方向ＬＤの一端側ＥＤ１に湾曲部１２，１６が配置され、他端側ＥＤ２に湾曲部１４が配置される。直線部１１，１３，１５，１７は長手方向ＬＤに沿って延びる。湾曲部１２の一端は直線部１１の一端側ＥＤ１の端部に接続され、他端は直線部１３の一端側ＥＤ１の端部に接続される。湾曲部１４の一端は直線部１３の他端側ＥＤ２の端部に接続され、他端は直線部１５の他端側ＥＤ２の端部に接続される。湾曲部１６の一端は直線部１５の一端側ＥＤ１の端部に接続され、他端は直線部１７の一端側ＥＤ１の端部に接続される。直線部１１，１３，１５，１７における長手方向ＬＤに対して垂直な断面は、四角形である。【選択図】図１
0003216257.tif 000002
【実用新案登録請求の範囲】
【請求項１】
ネクタイ留め具であって、
弾性を有する金属材料で形成された金属線により、線状に形成された第１延伸部、第２延伸部、第３延伸部および第４延伸部と、湾曲した線状に形成された第１湾曲部、第２湾曲部および第３湾曲部とを備えるように形成され、
当該ネクタイ留め具の長手方向の一端側に前記第１湾曲部および前記第３湾曲部が配置され、前記長手方向の他端側に前記第２湾曲部が配置され、
前記第１延伸部、前記第２延伸部、前記第３延伸部および前記第４延伸部は前記長手方向に沿って延びており、
前記第１湾曲部の一端は前記第１延伸部の前記一端側の端部に接続され、前記第１湾曲部の他端は前記第２延伸部の前記一端側の端部に接続され、
前記第２湾曲部の一端は前記第２延伸部の前記他端側の端部に接続され、前記第２湾曲部の他端は前記第３延伸部の前記他端側の端部に接続され、
前記第３湾曲部の一端は前記第３延伸部の前記一端側の端部に接続され、前記第３湾曲部の他端は前記第４延伸部の前記一端側の端部に接続され、
前記第１延伸部、前記第２延伸部、前記第３延伸部および前記第４延伸部における前記長手方向に対して垂直な断面は、四角形であるネクタイ留め具。
【請求項２】
請求項１に記載のネクタイ留め具であって、
前記第１延伸部の前記他端側の端部、および、前記第４延伸部の前記他端側の端部には、球状に形成された球状部が連結されているネクタイ留め具。
【考案の詳細な説明】
【技術分野】
【０００１】
本開示は、ネクタイを留めるために用いられるネクタイ留め具に関する。
【背景技術】
【０００２】
特許文献１には、装飾板と、押板と、装飾板に対して押板を一定範囲で回転可能に支持する軸体と、装飾板と押板の間に配置されるバネ部材とを備えたネクタイピンが記載されている。
【先行技術文献】
【特許文献】
【０００３】
【特許文献１】実用新案登録第３２０１８６５号公報
【考案の概要】
【考案が解決しようとする課題】
【０００４】
しかし、特許文献１に記載のネクタイピンは、装飾板、押板、軸体およびバネ部材といった少なくとも４つの部材で構成されているため、作製に手間が掛かるという問題があった。
【０００５】
本開示は、作製が容易なネクタイ留め具を提供することを目的とする。
【課題を解決するための手段】
【０００６】
本開示の一態様は、弾性を有する金属材料で形成された金属線により、線状に形成された第１延伸部、第２延伸部、第３延伸部および第４延伸部と、湾曲した線状に形成された第１湾曲部、第２湾曲部および第３湾曲部とを備えるように形成されたネクタイ留め具である。
【０００７】
当該ネクタイ留め具の長手方向の一端側に第１湾曲部および第３湾曲部が配置され、長手方向の他端側に第２湾曲部が配置される。第１延伸部、第２延伸部、第３延伸部および第４延伸部は長手方向に沿って延びている。
【０００８】
第１湾曲部の一端は第１延伸部の一端側の端部に接続され、第１湾曲部の他端は第２延伸部の一端側の端部に接続されている。第２湾曲部の一端は第２延伸部の他端側の端部に接続され、第２湾曲部の他端は第３延伸部の他端側の端部に接続されている。第３湾曲部の一端は第３延伸部の一端側の端部に接続され、第３湾曲部の他端は第４延伸部の一端側の端部に接続されている。
【０００９】
第１延伸部、第２延伸部、第３延伸部および第４延伸部における長手方向に対して垂直な断面は、四角形である。
このように構成された本開示のネクタイ留め具は、１本の金属線を少なくとも３回曲げることにより作製することができるため、作製が容易である。
【００１０】
また、本開示の一態様では、第１延伸部の他端側の端部、および、第４延伸部の他端側の端部には、球状に形成された球状部が連結されているようにしてもよい。これにより、本開示のネクタイ留め具は、第１延伸部の他端側の端部、および、第４延伸部の他端側の端部がネクタイに引っ掛かってネクタイが傷付いてしまう事態の発生を抑制することができる。
【図面の簡単な説明】
【００１１】
【図１】ネクタイ留め具１の平面図である。
【図２】直線部１１，１３，１５，１７の断面図である。
【図３】湾曲部１２，１４，１６の断面図である。
【図４】ネクタイ留め具１によりネクタイを留める方法を示す図である。
【考案を実施するための形態】
【００１２】
以下に本開示の実施形態を図面とともに説明する。
本実施形態のネクタイ留め具１は、図１に示すように、留め具本体２と、球状部３，４とを備える。図１において、留め具本体２の下端側を一端側ＥＤ１といい、留め具本体２の上端側を他端側ＥＤ２という。
【００１３】
留め具本体２は、弾性を有する金属材料（例えばチタン）で直線状に形成された１本の金属線をＵ字状に３回曲げて作製される。
留め具本体２は、直線部１１、湾曲部１２、直線部１３、湾曲部１４、直線部１５、湾曲部１６および直線部１７を備える。
【００１４】
直線部１１は、留め具本体２の長手方向ＬＤに沿って直線状に延びる。
湾曲部１２は、ほぼ半円状に形成され、一端が直線部１１における一端側ＥＤ１の端部に接続されるとともに、他端が直線部１３における一端側ＥＤ１の端部に接続されることにより、留め具本体２の一端側ＥＤ１に配置される。
【００１５】
直線部１３は、湾曲部１２の他端から、留め具本体２の他端側ＥＤ２に向けて、長手方向ＬＤに沿って直線状に延びる。
湾曲部１４は、ほぼ半円状に形成され、一端が直線部１３における他端側ＥＤ２の端部に接続されるとともに、他端が直線部１５における他端側ＥＤ２の端部に接続されることにより、留め具本体２の他端側ＥＤ２に配置される。
【００１６】
直線部１５は、直線部１１と直線部１３とにより挟まれた領域において直線部１１に隣接するように配置され、湾曲部１４の他端から、留め具本体２の一端側ＥＤ１に向けて、長手方向ＬＤに沿って直線状に延びる。
【００１７】
湾曲部１６は、ほぼ半円状に形成され、一端が直線部１５における一端側ＥＤ１の端部に接続されるとともに、他端が直線部１７における一端側ＥＤ１の端部に接続される。これにより、湾曲部１６は、留め具本体２の一端側ＥＤ１において、直線部１１と湾曲部１２と直線部１３とにより囲まれた領域内に配置される。
【００１８】
直線部１７は、直線部１１と直線部１３とにより挟まれた領域において直線部１３に隣接するように配置され、湾曲部１６の他端から、留め具本体２の他端側ＥＤ２に向けて、長手方向ＬＤに沿って直線状に延びる。
【００１９】
球状部３は、球状に形成された部材であり、直線部１１における他端側ＥＤ２の端部に連結されている。
球状部４は、球状に形成された部材であり、直線部１７における他端側ＥＤ２の端部に連結されている。
【００２０】
図２に示すように、直線部１１，１３，１５，１７は、その断面が長方形となるように形成されている。また、直線部１１，１３，１５，１７の断面の長方形は、直線部１１，１３，１５，１７を通る平面ＰＬ１に対して平行な辺が長く、平面ＰＬ１に対して垂直な辺が短くなるように形成されている。
【００２１】
図３に示すように、湾曲部１２，１４，１６は、その断面が長方形となるように形成されている。また、湾曲部１２，１４，１６の断面の長方形は、湾曲部１２，１４，１６を通る平面ＰＬ２に対して平行な辺が長く、平面ＰＬ２に対して垂直な辺が短くなるように形成されている。
【００２２】
このように構成されたネクタイ留め具１は、弾性を有する金属材料で形成された金属線により、線状に形成された直線部１１、直線部１３、直線部１５および直線部１７と、湾曲した線状に形成された湾曲部１２、湾曲部１４および湾曲部１６とを備えるように形成される。
【００２３】
ネクタイ留め具１の長手方向ＬＤの一端側ＥＤ１に湾曲部１２および湾曲部１６が配置され、長手方向ＬＤの他端側ＥＤ２に湾曲部１４が配置される。直線部１１、直線部１３、直線部１５および直線部１７は長手方向ＬＤに沿って延びている。
【００２４】
湾曲部１２の一端は直線部１１の一端側ＥＤ１の端部に接続され、湾曲部１２の他端は直線部１３の一端側ＥＤ１の端部に接続されている。湾曲部１４の一端は直線部１３の他端側ＥＤ２の端部に接続され、湾曲部１４の他端は直線部１５の他端側ＥＤ２の端部に接続されている。湾曲部１６の一端は直線部１５の一端側ＥＤ１の端部に接続され、湾曲部１６の他端は直線部１７の一端側ＥＤ１の端部に接続されている。
【００２５】
このようにネクタイ留め具１は、１本の金属線を少なくとも３回曲げることにより作製することができるため、作製が容易である。
またネクタイ留め具１は、以下に示す方法により、ネクタイをワイシャツに留めることができる。
【００２６】
図４（ａ）に示すように、まず、ネクタイＮＴの一部とワイシャツＤＳの一部とを重ねた状態で湾曲部１２と湾曲部１６との間に挟み込む。その後、図４（ｂ）に示すように、ネクタイＮＴの一部とワイシャツＤＳの一部が、直線部１１，１３と直線部１５，１７との間に位置するようにネクタイ留め具１を押し込む。これにより、ネクタイＮＴの一部とワイシャツＤＳの一部とが、直線部１１と直線部１５との間、および、直線部１３と直線部１７との間に挟まれた状態となり、ネクタイＮＴがワイシャツＤＳに留められる。
【００２７】
そしてネクタイ留め具１では、直線部１１、直線部１３、直線部１５および直線部１７における長手方向ＬＤに対して垂直な断面は、四角形である。このため、ネクタイ留め具１によりネクタイＮＴが留められている状態において、直線部１１，１３，１５，１７の表面に形成された平面とネクタイＮＴとが密着し、ネクタイ留め具１をネクタイＮＴから外れ難くすることができる。
【００２８】
また、直線部１１の他端側ＥＤ２の端部、および、直線部１７の他端側ＥＤ２の端部にはそれぞれ、球状に形成された球状部３および球状部４が連結されている。これにより、ネクタイ留め具１は、ネクタイ留め具１がネクタイＮＴから取り外されるときに、ネクタイＮＴが傷付いてしまう事態の発生を抑制することができる。なお、図４（ｂ）に示すように、ネクタイＮＴがワイシャツＤＳに留められた状態では、ネクタイＮＴの表側で球状部４が接触し、ネクタイＮＴの裏側で球状部３が接触する。すなわち、球状部３および球状部４が連結されていない場合には、ネクタイＮＴの表側で直線部１７の他端側ＥＤ２の端部が接触し、ネクタイＮＴの裏側で直線部１１の他端側ＥＤ２の端部が接触することになる。この場合には、ネクタイ留め具１がネクタイＮＴから取り外されるときに、直線部１１の他端側ＥＤ２の端部、および、直線部１７の他端側ＥＤ２の端部がネクタイＮＴに引っ掛かってネクタイＮＴが傷付いてしまう恐れがある。
【００２９】
以上説明した実施形態において、直線部１１は第１延伸部に相当し、直線部１３は第２延伸部に相当し、直線部１５は第３延伸部に相当し、直線部１７は第４延伸部に相当し、湾曲部１２は第１湾曲部に相当し、湾曲部１４は第２湾曲部に相当し、湾曲部１６は第３湾曲部に相当する。
【００３０】
以上、本開示の一実施形態について説明したが、本開示は上記実施形態に限定されるものではなく、種々変形して実施することができる。
また、上記実施形態における１つの構成要素が有する機能を複数の構成要素に分担させたり、複数の構成要素が有する機能を１つの構成要素に発揮させたりしてもよい。また、上記実施形態の構成の一部を省略してもよい。また、上記実施形態の構成の少なくとも一部を、他の上記実施形態の構成に対して付加、置換等してもよい。なお、実用新案登録請求の範囲に記載の文言から特定される技術思想に含まれるあらゆる態様が本開示の実施形態である。
【符号の説明】
【００３１】
１…ネクタイ留め具、１１…直線部、１２…湾曲部、１３…直線部、１４…湾曲部、１５…直線部、１６…湾曲部、１７…直線部
【図１】
0003216257.tif 000003
【図２】
0003216257.tif 000004
【図３】
0003216257.tif 000005
【図４】
0003216257.tif 000006